(57)【特許請求の範囲】
【請求項１】
電気器具を備えるショーケース本体の下部に設置され、配線を介して前記電気器具に接続される電装品を収納するショーケース用電装箱であって、前記ショーケース本体に固定された支持枠と、この支持枠に前後方向に引き出し可能に保持され、かつ内部に前記電装品を保持する電装箱本体とを備えてなるものにおいて、
前記電装箱本体を、上面が開口する箱形とし、電装箱本体に保持される電装品を、上面が平坦な取付板に取付け、かつ該取付板を、前記電装箱本体の上方に取出し可能とし、この電装箱本体の左右の側板の前側寄りの位置に、上方が開放する配線挿通用の切欠きを、互いに対向するようにして設け、前記電装品に、左右方向から別々に、電線を接続したことを特徴とするショーケース用電装箱。
【請求項２】
取付板の周辺部を下方に折曲した請求項１記載のショーケース用電装箱。
【請求項３】
電装箱本体の上面開口部を、周辺部を下方に折曲した板状の着脱可能な上部カバーによって遮蔽してなる請求項１または２記載のショーケース用電装箱。
【請求項４】
支持枠を、電装箱本体の側板の切欠きに対応する部位に、該切欠きと連通する前向きの開口を有するものとした請求項１〜３のいずれかに記載のショーケース用電装箱。
【発明の詳細な説明】
【０００１】
【発明の属する技術分野】
本発明は、例えば食品陳列用の冷蔵ショーケース等に適用されるショーケース用電装箱、特にショーケースの設置場所において、隣接する複数のショーケース間の渡り配線を、容易に接続しうるようにしたショーケース用電装箱に関する。
【０００２】
【従来の技術】
スーパーマーケット等で使用される冷蔵ショーケースにおいては、ショーケース本体に据付けられる冷却機、ファン、照明灯等の電気器具への配電用中継器として、ショーケース本体の下部に電装品が取付けられる。
この電装品に関し、従来の普及タイプでは、中継器として端子台のみが、ショーケース本体に固定されていたが、近来のショーケースの高機能化に伴い、新たな制御基盤等の電装品を取付ける必要がでてきた。
【０００３】
そこで、最近では、ショーケース本体下部に電装箱を取出し可能に設置し、電装箱の内部に、電装品を着脱可能に収納しうるようにすることが考えられ、冷蔵ショーケース用電装箱としては、例えば特開平５−３４０５６号公報、あるいは特開平９−２５２８９４号公報等に記載されたものが知られている。
【０００４】
【発明が解決しようとする課題】
しかし、上述の公報等に開示されている従来のショーケース用電装箱では、ショーケースを設置した後に行う隣接するショーケース間の１次側電源や、信号線の渡り配線作業についての容易性等については、特別の考慮が払われていない。すなわち、従来例においては、渡り配線の引き回しが困難であり、また電装箱の後方や下方から配線作業を行うようになっており、渡り配線作業終了後の電装箱を、ショーケース本体に取付けるのは容易ではなかった。
【０００５】
本発明は、上述の問題点に鑑み、渡り配線の引き回しが容易であり、また渡り配線作業終了後の電装箱を、ショーケース本体に容易に取付けうるようにしたショーケース用電装箱を提供することを目的としている。
【０００６】
【課題を解決するための手段】
本発明によると、上記課題は、次のようにして解決される。
【０００７】
(１) 電気器具を備えるショーケース本体の下部に設置され、配線を介して前記電気器具に接続される電装品を収納するショーケース用電装箱であって、前記ショーケース本体に固定された支持枠と、この支持枠に前後方向に引き出し可能に保持され、かつ内部に前記電装品を保持する電装箱本体とを備えてなるものにおいて、前記電装箱本体を、上面が開口する箱形とし、電装箱本体に保持される電装品を、上面が平坦な取付板に取付け、かつ該取付板を、前記電装箱本体の上方に取出し可能とし、この電装箱本体の左右の側板の前側寄りの位置に、互いに対向するようにして、上方が開放する配線挿通用の切欠きを設け、前記電装品に対し、左右方向から別々に、電線を接続する。
【０００８】
(２) 上記(１)項において、取付板の周辺部を下方に折曲する。
【０００９】
(３) 上記(１)または(２)項において、電装箱本体の上面開口部を、周辺部を下方に折曲した板状の着脱可能な上部カバーによって遮蔽する。
【００１０】
(４) 上記(１)〜(３)項のいずれかにおいて、支持枠を、電装箱本体の側板の切欠きに対応する部位に、該切欠きと連通する前向きの開口を有するものとする。
【００１１】
【発明の実施の形態】
以下、本発明の一実施形態を、冷蔵ショーケース用電装箱を例として、図面を参照して説明する。
【００１２】
図１は、冷蔵ショーケースへの電装箱の配置例を示す縦断側面図であり、図２は、その電装箱の配置部分を示す拡大図、図３は、図２の正面図、図４は、電装箱を抽出して示す拡大斜視図、図５は、その電装箱の構成部品を分解して示す斜視図である。
【００１３】
図１に示すように、この冷蔵ショーケースのショーケース本体(１)は、床面に載置された基台(２)の上面に、商品取出し用の前面開口部(３)を有する筐体(４)を設けて構成してある。
筐体(４)の前面開口部(３)の内方には、商品収納部(５)を構成する上下複数段の棚板(６)が架設されている。商品収納部(５)の下方と後方、および上方に形成された冷気通路(７)の内部に、冷却機(８)とファン(９)とが配設されている。
【００１４】
これにより、筐体(４)の前面開口部(３)の下部に設けた吸込み部から冷気通路(７)に取込んだ空気を、冷却機(８)で冷却して、冷気をファン(９)によって送風し、前面開口部(３)の上部に設けた吹出し部から吸込み部に向けて冷気を吹出すことにより、前面開口部(３)にエアカーテンを形成するようになっている。
【００１５】
なお、図示していないが、筐体(４)の内部には、商品収納部(５)を照射するための照明灯が設けられている。また、ショーケース本体(１)の筐体(４)の前面下部には、カート等の当接時の緩衝用のガード(10)が設けられている。
このショーケース本体(１)は、複数のものが互いに隣接して、店内床上に配列される。
【００１６】
本実施形態では、図２および図３に示すように、ショーケース本体(１)の筐体(４)の前面下部に設けたガード(10)の後下部の一側部、例えば正面視で右側部に、冷却機(８)、ファン(９)、照明灯等の電気器具への中継器としての電装箱(11)が設けられている。
【００１７】
電装箱(11)は、ショーケース本体(１)に固定された支持枠(12)と、この支持枠(12)に引き出し可能に保持された電装箱本体(13)とを有し、電装箱本体(13)の内部には、電装品(14)を保持した取付板(15)が収納され、取付板(15)の上方は、電装箱本体(13)に取付けた上部カバー(16)によって遮蔽されている。
【００１８】
次に、電装箱(11)の構成について説明する。
まず、図４および図５を参照して、電装箱(11)の部品、および組立て構成を説明する。
【００１９】
図４および図５に示すように、支持枠(12)は、四角形の底板(17)と、この底板(17)の一側縁(左側縁)から立上がる側板(18)とを有し、全体としてほぼＬ字形をなしている。
この支持枠(12)は、１枚の板金材を折曲形成することにより構成したものである。電装箱本体(13)、取付板(15)および上部カバー(16)も同様である。
【００２０】
支持枠(12)の底板(17)の前縁には、補強等のための垂下片(17a)が折曲形成されている。
側板(18)の前縁側には、電線挿通用の前方が開口するコ字形の開口(19)が切欠形成され、この側板(18)の上端には、外側に向う水平の突出片(18a)が折曲形成されている。この突出片(18a)には、ショーケース本体(１)への取付け用の複数の取付孔(20)が穿設されている。
【００２１】
底板(17)の他側縁(右側縁)および後縁には、それぞれ、ショーケース本体(１)への掛止用の断面コ字形の掛止片(21)(22)が折曲形成されている。なお、ショーケース本体(１)への取付けおよび掛止構成については、後に説明する。
【００２２】
電装箱本体(13)は、支持枠(12)の底板(17)上に摺動可能に載置されるもので、上面が開口する箱形をなしている。その左右の側板(23)(24)の前側寄りの位置に、互いに対向するようにして、上方に向って開放する配線挿通用の切欠き(25)(26)が、ほぼ四角形状をなしてそれぞれ形成されている。左側板(23)の切欠き(25)は、電装箱本体(13)を支持枠(12)の底板(17)上に奥まで挿入した時、支持枠(12)の側板(18)の開口(19)と連通するようにしてある。電装箱本体(13)の前板(27)には、把手(28)が設けられている。
【００２３】
なお、電装箱本体(13)は、設置スペースを考慮して、左右の高さが中央から異なり、例えば左半分が右半分よりも高くしてあるが、これは逆でもよく、また左右同一高さでもよい。
【００２４】
電装品取付け用の取付板(15)は、電装箱本体(13)内に水平に収納できる四角板状をなし、周辺部を下方に折曲して補強してあり、上面は平坦となっている。
【００２５】
この取付板(15)の上面に、複数の電装品(14)(例えばメイン基板(14a)端子板(14b)等)が取付けてられている。これらの電装品(14)に対し、左右の方向から別々に、電線(29a)(29b)が、接続端子(30)等を介して接続されている。例えば、一方の電線(29a)は電源用配線であり、他方の電線(29b)は当該ショーケース本体(１)に設けられる電装品(８)(９)等への配線、および他の図示しないショーケースに設けられる電装品への渡り配線である。
【００２６】
上部カバー(16)は、電装箱本体(13)の上面開口部を閉塞するもので、電装箱本体(13)の周側壁上端部に着脱可能に被嵌できるようになっている。すなわち、この上部カバー(16)は、１枚の板金材の折曲により形成した段差を有する天板部(16)と、その周辺部をそれぞれ下方に折曲した垂下片(16b)とにより構成され、これにより、各垂下片(16b)は、左右高さの異なる電装箱本体(13)の周側壁上端部に、その外面側から被覆する状態で嵌合でき、電装箱本体(13)内に収納した取付板(15)および電装品(14)を、上方から遮蔽するようにしてある。
【００２７】
図２および図３は、このような構成の電装箱(11)を組立てた状態で、ショーケース本体(１)に取付けた様子を示している。
これらの図に示すように、電装箱本体(13)は、その内部に電装品(14)および取付板(15)を保持するとともに、上方を上部カバー(16)で遮蔽した状態で、支持枠(12)の底板(17)上に摺動可能に奥側まで挿入載置され、前方に取り出し可能に保持される。
【００２８】
支持枠(12)は、ショーケース本体(１)の筐体(４)の底部または基台(２)に対して取付けられる。すなわち、支持枠(12)の側壁(18)の上端に設けた突出片(18a)が筐体(４)の底部基台(２)に当接し、取付孔(20)に通したボルト等の締結具(31)によって固定される。支持枠(12)の掛止片(21)(22)は、基台(２)に設けた孔、または段部等の係止部(32)等に掛止される。
【００２９】
(33)は、電装箱(11)の前面を覆うように、ガード(10)の下方のショーケース本体(１)下部に着脱自在に装着された前面下部カバーであり、これを装着しているときは、電装箱(11)は前面に露呈することはない。
【００３０】
このような取付け構成のもとで、例えば初期の配線作業を行うような場合には、まず電装箱本体(13)を支持枠(12)、すなわちショーケース本体(１)側から前方に引出して取外した状態で、ショーケース前方に置き、上部カバー(16)を外す。
【００３１】
この状態で、電装箱本体(13)の左右いずれか一方の側板、例えば左側の側板(23)の切欠き(25)から、一次側電源や信号線である一方の電線(29a)を入れ、電装箱本体(13)内の取付板(15)の電装品(14)、つまり端子台(14b)やメイン基板(14a)等への接続配線を行う。
【００３２】
隣接する他のショーケースへの渡り配線である他方の電線(29b)については、電装品(14)に接続して他方の切欠き(26)から引出す。
【００３３】
なお、配線作業としては、電装品(14)を取付けた取付板(15)を電装箱本体(13)からいったん取出して行い、配線後に電装箱本体(13)に挿入してもよい。
【００３４】
このような配線作業の後、上部カバー(16)を装着して上方遮蔽状態とし、電装箱本体(13)を支持枠(12)内方に収納する。この収納状態においては、電装箱本体(13)の左側の切欠き(25)は、支持枠(12)の側板(18)の開口(19)に連通しているので、一方の電線(29a)は、これらの切欠き(25)および開口(19)を通して外部に挿通できる。
【００３５】
また、電装箱本体(13)の右側の切欠き(26)は、支持枠(12)のフラットな他側方に開放しているので、他方の電線(29b)も切欠き(26)を通して外部に挿通できる。したがって、電線(29a)(29b)には、上下方向および前後方向に沿う無理な曲げ荷重等が生じない。また、電装箱本体(13)の上面は上部カバーで覆うことにより保護され、例えば水滴や埃等から電装品(13)を確実に保護することができる。
【００３６】
以上のように、本実施形態によれば、電装箱本体(13)の側面側に切欠き(25)(26)が形成されているため、横方向からの電線(29a)(29b)を、そのまま電装箱本体(13)に差し入れたり、また逆方向に取出すことができる。そのため、渡り配線等の接続作業等が容易に行えるとともに、電装箱本体(13)を取出すときの電線移動が少なく、電線(29a)(29b)への負荷を最小にすることができる。
【００３７】
また、切欠き(25)(26)が上方に開放しているため、従来のように、孔を通す煩わしさがない。なお、電装箱本体(13)の切欠き(25)(26)および支持枠(12)の開口(19)は、ショーケース本体(１)と電装箱(11)とを接続する電線の配線経路としても利用することができる。
【００３８】
また、電装品(14)を取付ける取付板(15)の上面は平坦であるため、配線接続等の作業が容易に行える。特に、電装箱本体(13)から取付板(15)をいったん取出して作業する場合には、電装箱本体(13)の側板(23)(24)が邪魔になることもなく、非常に容易に配線作業が行える。
【００３９】
また、電装箱本体(13)の切欠き(25)(26)が上方に開放しているため、配線後の取付板(15)を電装箱本体(13)に挿入する際に、渡り配線等が支障をきたすことがない。
【００４０】
さらに、上部カバー(16)により、水滴や埃等から電装品(14)を保護することができるとともに、上部カバー(16)は電装箱本体(13)に対して取外し自由な状態で被嵌できるため、この点でも配線作業が容易となる。
【００４１】
さらに、支持枠(12)の電装箱本体(13)の左側の切欠き(25)(26)は、支持枠(12)の側板(18)の開口(19)に連通し、また支持枠(12)のフラットな他側方に開放しているので、電線(29a)(29b)は無理な曲げ荷重等を生じることなく、配線することができる。
【００４２】
【発明の効果】
本発明によれば、下記の効果が奏される。
請求項１記載の発明によれば、電装箱本体の側面側に切欠きが形成されているため、横方向からの電線をそのまま電装箱本体に差し入れたり、また逆方向に取出すことができる。そのため、渡り配線等の接続作業等が容易に行えるとともに、電装箱本体を取出すときの電線移動が少なく、電線への負荷を最小にすることができる。
また、切欠きが上方に開放しているため、従来のように、孔を通す煩わしさがない。電装箱本体の切欠きは、ショーケース本体と電装箱とを接続する電線の配線経路としても利用することができる。
【００４３】
また、電装品を取付ける取付板の上面は平坦であるため、配線接続等の作業を容易に行える。特に、電装箱本体から取付板をいったん取出して作業する場合には、電装箱本体の側板が邪魔になることもなく、容易に配線作業が行える。
さらに、電装箱本体の切欠きが上方に開放しているため、配線後の取付板を電装箱本体に挿入する際に、渡り配線等が支障をきたすことがない。
【００４４】
請求項３記載の発明によれば、上部カバーにより、水滴や埃等から電装品を保護することができるとともに、上部カバーは、電装箱本体に対して取外し自由な状態であるため、配線作業が容易となる。
【００４５】
請求項４記載の発明によれば、支持枠の電装箱本体の切欠きと支持枠の開口とが連通するので、電線を無理な曲げ荷重等を生じることなく、配線することができる。
【図面の簡単な説明】
【図１】本発明によるショーケース用電装箱の一実施形態を示す縦断側面図である。
【図２】図１の要部拡大図である。
【図３】図２の正面図である。
【図４】前記一実施形態における電装箱を抽出して示す拡大斜視図である。
【図５】前記一実施形態における構成部品を分解して示す斜視図である。
【符号の説明】
(１)ショーケース本体
(２)基台
(３)前面開口部
(４)筐体
(５)商品収納部
(６)棚板
(７)冷気通路
(８)冷却機
(９)ファン
(10)ガード
(11)電装箱
(12)支持枠
(13)電装箱本体
(14)電装品
(14a)メイン基板
(14b)端子板
(15)取付板
(16)上部カバー
(17)底板
(17a)垂下片
(18)側板
(18a)突出片
(19)開口
(20)取付孔
(21)(22)掛止片
(23)(24)側板
(25)(26)切欠き
(27)前板
(28)把手
(29a)(29b)電線
(30)端子台
(31)締結具
(32)係止部
(33)前面下部カバー
【図１】
0004173595.tif 000002
【図２】
0004173595.tif 000003
【図３】
0004173595.tif 000004
【図４】
0004173595.tif 000005
【図５】
0004173595.tif 000006